(57)【要約】【課題】  組立作業性が良く、コンパクトに設置できるガイド機構の製造方法、そのガイド機構、およびそれを備えた金銭収納装置を提供する。【解決手段】  引出部２をスライド可能に収納する筺体１に、引出部２の左右方向の横振れを規制して引出部２のスライドをガイドする側面ローラユニット２１を、位置決めする第１の工程と、引出部２の上下方向の縦振れを規制して引出部２のスライドをガイドするガイドローラ２０を筺体１に位置決めして、回転軸を兼ねる固定部材２２によってガイドローラ２０と側面ローラユニット２１とを筺体１に取り付ける第２の工程と、を備えている。従って、側面ローラユニット２１とガイドローラ２０とを筺体１に一度に取り付けることができるので、組立作業が簡単で、組立作業の簡素化が図れる。また、側面ローラユニット２１とガイドローラ２０とを筺体１に個別に設置する必要がないので、コンパクトに設置することができる。【選択図】        図２
2020044167.tif 000002
【特許請求の範囲】
【請求項１】
引出部をスライド可能に収納する筺体に、前記引出部の左右方向の振れを規制して前記引出部のスライドをガイドするローラユニットを、位置決めする第１の工程と、
前記引出部の上下方向の振れを規制して前記引出部のスライドをガイドするローラを前記筺体に位置決めして、回転軸を兼ねる固定部材によって前記ローラと前記ローラユニットとを前記筺体に取り付ける第２の工程と、
を備えていることを特徴とするガイド機構の製造方法。
【請求項２】
請求項１に記載のガイド機構の製造方法において、前記第１の工程では、前記ローラユニットが、前記引出部の左右方向の振れを規制して前記引出部のスライドを回転しながらガイドする側面ローラと、前記側面ローラを回転可能に保持する保持部材と、前記保持部材に切起しによって形成された位置決め部と、を備え、前記位置決め部によって前記ローラユニットを前記筺体に位置決めすることを特徴とするガイド機構の製造方法。
【請求項３】
筐体内にスライド可能に収納される引出部に、前記引出部の左右方向の振れを規制して前記引出部のスライドをガイドするローラユニットを、位置決めする第１の工程と、
前記引出部の上下方向の振れを規制して前記引出部のスライドをガイドするローラを前記引出部に位置決めして、回転軸を兼ねる固定部材によって前記ローラと前記ローラユニットとを前記引出部に取り付ける第２の工程と、
を備えていることを特徴とするガイド機構の製造方法。
【請求項４】
請求項３に記載のガイド機構の製造方法において、前記第１の工程では、前記ローラユニットが、前記引出部の左右方向の振れを規制して前記引出部のスライドを回転しながらガイドする側面ローラと、前記側面ローラを回転可能に保持する保持部材と、前記保持部材に切起しによって形成された位置決め部と、を備え、前記位置決め部によって前記ローラユニットを前記引出部に位置決めすることを特徴とするガイド機構の製造方法。
【請求項５】
筐体内にスライド可能に収納される引出部の左右方向の振れを規制して前記引出部のスライドを回転しながらガイドする側面ローラ、および前記側面ローラを回転可能に保持する保持部材を備えたローラユニットと、
前記引出部の上下方向の振れを規制して前記引出部のスライドをガイドするローラと、
前記ローラを前記筺体に位置決めして前記ローラと前記ローラユニットとを前記筺体に取り付ける前記ローラの回転軸を兼ねる固定部材と、
を備えていることを特徴とするガイド機構。
【請求項６】
筐体内にスライド可能に収納される引出部の左右方向の振れを規制して前記引出部のスライドを回転しながらガイドする側面ローラ、および前記側面ローラを回転可能に保持する保持部材を備えたローラユニットと、
前記引出部の上下方向の振れを規制して前記引出部のスライドをガイドするローラと、
前記ローラを前記引出部に位置決めして前記ローラと前記ローラユニットとを前記引出部に取り付ける前記ローラの回転軸を兼ねる固定部材と、
を備えていることを特徴とするガイド機構。
【請求項７】
請求項５または請求項６に記載のガイド機構において、前記ローラユニットは、前記筺体または前記引出部に対して位置決めする位置決め部を備えていることを特徴とするガイド機構。
【請求項８】
請求項７に記載のガイド機構において、前記位置決め部は、前記保持部材に切起しによって形成されることにより、前記保持部材に前記固定部材が挿入する挿入孔を形成したことを特徴とするガイド機構。
【請求項９】
請求項５〜請求項８のいずれかに記載のガイド機構において、前記固定部材は、前記ローラが前記筺体または前記引出部に取り付けられた際に、前記ローラが前記保持部材に接触するのを防ぐための回転軸部である首下部を備えていることを特徴とするガイド機構。
【請求項１０】
請求項５〜請求項９のいずれかに記載のガイド機構において、前記ローラユニットおよび前記ローラは、前記筺体または前記引出部における前記引出部のスライド方向と直交する両側部にそれぞれ設けられていることを特徴とするガイド機構。
【請求項１１】
請求項５〜請求項１０のいずれかに記載されたガイド機構を備えていることを特徴とする金銭収納装置。
【発明の詳細な説明】
【技術分野】
【０００１】
この発明は、電子レジスタ、家具、キャビネットなどに用いられるガイド機構の製造方法、そのガイド機構、およびそれを備えた金銭収納装置に関する。
【背景技術】
【０００２】
例えば、キャビネットにおいては、特許文献１に記載されているように、筺体内に収納された引出部をスライドさせて引き出す際に、ガイドローラによって引出部を支持してスライド方向にガイドすると共に、側面ローラによって引出部の側面をガイドして、引出部のスライド方向と直交する左右方向のガタつきを規制する構造のものが知られている。
【先行技術文献】
【特許文献】
【０００３】
【特許文献１】特開２０１５−１００４７０号公報
【発明の概要】
【発明が解決しようとする課題】
【０００４】
このようなキャビネットでは、筺体内の側面にガイドローラと側面ローラとをそれぞれ個別に設けているため、組立作業が煩雑で、作業性が悪いばかりか、ガイドローラと側面ローラとを個別に設置するための広い設置スペースが必要となり、コンパクトに設置することができないという問題がある。
【０００５】
この発明が解決しようとする課題は、組立作業性が良く、コンパクトに設置できるガイド機構の製造方法、そのガイド機構、およびそれを備えた金銭収納装置を提供することである。
【課題を解決するための手段】
【０００６】
この発明は、引出部をスライド可能に収納する筺体に、前記引出部の左右方向の振れを規制して前記引出部のスライドをガイドするローラユニットを、位置決めする第１の工程と、前記引出部の上下方向の振れを規制して前記引出部のスライドをガイドするローラを前記筺体に位置決めして、回転軸を兼ねる固定部材によって前記ローラと前記ローラユニットとを前記筺体に取り付ける第２の工程と、を備えていることを特徴とするガイド機構の製造方法である。
【０００７】
また、この発明は、筐体内にスライド可能に収納される引出部に、前記引出部の左右方向の振れを規制して前記引出部のスライドをガイドするローラユニットを、位置決めする第１の工程と、前記引出部の上下方向の振れを規制して前記引出部のスライドをガイドするローラを前記引出部に位置決めして、回転軸を兼ねる固定部材によって前記ローラと前記ローラユニットとを前記引出部に取り付ける第２の工程と、を備えていることを特徴とするガイド機構の製造方法である。
【０００８】
また、この発明は、筐体内にスライド可能に収納される引出部の左右方向の振れを規制して前記引出部のスライドを回転しながらガイドする側面ローラ、および前記側面ローラを回転可能に保持する保持部材を備えたローラユニットと、前記引出部の上下方向の振れを規制して前記引出部のスライドをガイドするローラと、前記ローラを前記筺体に位置決めして前記ローラと前記ローラユニットとを前記筺体に取り付ける前記ローラの回転軸を兼ねる固定部材と、を備えていることを特徴とするガイド機構である。
【０００９】
さらに、この発明は、筐体内にスライド可能に収納される引出部の左右方向の振れを規制して前記引出部のスライドを回転しながらガイドする側面ローラ、および前記側面ローラを回転可能に保持する保持部材を備えたローラユニットと、前記引出部の上下方向の振れを規制して前記引出部のスライドをガイドするローラと、前記ローラを前記引出部に位置決めして前記ローラと前記ローラユニットとを前記引出部に取り付ける前記ローラの回転軸を兼ねる固定部材と、を備えていることを特徴とするガイド機構である。
【発明の効果】
【００１０】
この発明によれば、組立作業性が良く、コンパクトに設置することができる。
【図面の簡単な説明】
【００１１】
【図１】この発明を金銭収納装置に適用した一実施形態を示した分解斜視図である。
【図２】図１に示された金銭収納装置の筺体における底板部の第１ガイド機構を拡大して示した要部の分解斜視図である。
【図３】図２に示された第１ガイド機構が底板部の第１ガイドレール部に取り付けられた状態を示した要部の平面図である。
【図４】図３に示された第１ガイド機構の一部を破断して示した要部の拡大平面図である。
【図５】図４に示された第１ガイド機構を示した拡大斜視図である。
【図６】図５に示された第１ガイド機構の側面ローラユニットを示した拡大斜視図である。
【図７】図６に示された側面ローラユニットの一部を破断して示した拡大正面図である。
【発明を実施するための形態】
【００１２】
以下、図１〜図７を参照して、この発明を金銭収納装置に適用した一実施形態について説明する。
この金銭収納装置は、図１に示すように、筺体１と引出部２とガイド機構３とを備え、このガイド機構３によって引出部２をスライド可能にガイドして筺体１内に引出可能に収納する構造になっている。
【００１３】
筺体１は、図１に示すように、カバーケース４と底板部５とを備えている。カバーケース４は、下面が開放された厚みの薄い四角形の箱状に形成されている。このカバーケース４の手前側の前面（図１では左下側面）には、引出部２がスライド可能に挿通する開口部４ａが設けられている。底板部５は、カバーケース４の底部に取り付けられるものである。この底板部５の奥側部（図１では右上側部）には、筺体１内に収納された引出部２をロックするための後述するロック装置６が設けられている。
【００１４】
引出部２は、図１に示すように、筺体１内にスライド可能に収納されるものであり、上面が開放されたほぼ箱状に形成されている。この引出部２は、前面部２ａがカバーケース４の開口部４ａとほぼ同じ大きさに形成され、筺体１内に収納された際に、前面部２ａがカバーケース４の開口部４ａを開閉可能に塞ぐ構造になっている。
【００１５】
また、この引出部２は、図１に示すように、そのスライド方向と直交する幅方向の両側に位置する各側壁部２ｂと、スライド方向における奥側に位置する後壁部２ｃと、がカバーケース４内の高さよりも低く形成されている。この場合、引出部２は、後壁部２ｃがロック装置６を避けるためにカバーケース４の背面部から離れた位置に設けられている。これにより、引出部２は、両側の各側壁部２ｂが後壁部２ｃよりも奥側に突出して設けられている。
【００１６】
このため、底板部５の奥側部には、図１に示すように、引出部２の両側の各側壁部２ｂが後壁部２ｃよりも奥側に突出していることにより、ロック装置６を設置する設置スペースが設けられている。このロック装置６は、筺体１内に収納された引出部２をロックするロック部７と、このロック部７による引出部２のロックを解除するロック解除部８と、を備えている。
【００１７】
ロック部７は、図１に示すように、引出部２の後壁部２ｃに設けられた係合ピン９を係脱可能に係止する回転係止部１０を備えている。ロック解除部８は、回転係止部１０を回転させて係合ピン９の係止を解除する電磁ソレノイド１１と、ロック部７によるロックが解除された引出部２を筐体１の内部から外部に向けて押し出すコイルばね１２と、を備えている。
【００１８】
これにより、ロック装置６は、図１に示すように、筐体１内に引出部２が収納された際に、引出部２の後壁部２ｃによってコイルばね１２が圧縮され、この状態で引出部２の後壁部２ｃに設けられた係合ピン９をロック部７の回転係止部１０が回転して係止することにより、引出部２を筺体１内にロックする構造になっている。
【００１９】
また、このロック装置６は、図１に示すように、引出部２が筺体１内にロックされた状態で、ロック解除部８の電磁ソレノイド１１がロック部７の回転係止部１０を回転させて、この回転係止部１０による係合ピン９の係止を解除し、圧縮されたコイルばね１２のばね力によって引出部２を筐体１内から押し出す構造になっている。
【００２０】
ところで、ガイド機構３は、図１に示すように、筺体１の底板部５における引出部２のスライド方向と直交する幅方向の両側部に設けられた一対の第１ガイドレール部１３と、引出部２の両側の各側壁部２ｂに設けられた一対の第２ガイドレール部１４と、筺体１の底板部５における一対の第１ガイドレール部１３に設けられた一対の第１ガイド機構１５と、引出部２の一対の第２ガイドレール部１４に設けられた一対の第２ガイド機構１６と、を備えている。
【００２１】
一対の第１ガイドレール部１３それぞれは、図１に示すように、引出部２のスライド方向と直交する幅方向における底板部５の両側部に、底板部５の前部から奥部に亘って起立して設けられた支持レール１３ａと、この支持レール１３ａの上端部にカバーケース４の内部側に向けてほぼ水平に突出して設けられたガイドレール１３ｂと、を備えている。一対の第２ガイドレール部１４は、引出部２の両側の各側壁部２ｂにおける下部に、引出部２の前部から奥部に亘ってそれぞれ設けられている。
【００２２】
一対の第２ガイド機構１６は、図１に示すように、引出部２の両側の各側壁部２ｂにおける各奥側部、つまり後壁部２ｃよりも奥側に突出した各第２ガイドレール部１４の各下部にそれぞれ設けられている。この第２ガイド機構１６は、第２ガイドレール部１４の奥側下部に設けられたローラ取付部１７と、このローラ取付部１７に取り付けられて一対の第１ガイドレール部１３の各ガイドレール１３ｂ上を回転しながら移動する転動ローラ１８と、この転動ローラ１８をローラ取付部１７に回転可能に取り付ける取付部材１９と、を備えている。
【００２３】
この場合、取付部材１９は、図１に示すように、取付ねじ１９ａとワッシャ１９ｂとを有している。この取付部材１９は、取付ねじ１９ａを転動ローラ１８の軸孔に挿入させ、この挿入された取付ねじ１９ａをワッシャ１９ｂに挿入させた状態で、取付ねじ１９ａの先端をローラ取付部１７の取付孔１７ａに螺入させて締め付けることにより、転動ローラ１８をローラ取付部１７に回転可能に取り付ける構造になっている。
【００２４】
これにより、一対の第２ガイド機構１６は、図１に示すように、引出部２が筺体１内に挿入された際に、各転動ローラ１８が筺体１内の一対の第１ガイドレール部１３の各ガイドレール１３ｂ上に配置され、この状態で引出部２のスライドに伴って各転動ローラ１８が各ガイドレール１３ｂ上を回転しながら滑らかに移動する構造になっている。
【００２５】
一方、一対の第１ガイド機構１５それぞれは、図１〜図３に示すように、ガイドローラ２０と側面ローラユニット２１と回転軸を兼ねる固定部材２２とを備えている。一対のガイドローラ２０は、引出部２の上下方向の縦振れを規制して引出部２のスライドをガイドするものである。すなわち、一対のガイドローラ２０は、引出部２の一対の第２ガイドレール部１４を上下方向に支持して回転することにより、引出部２をそのスライド方向に沿ってガイドするものである。これら一対のガイドローラ２０それぞれは、円板状に形成され、その中心に軸孔２０ａがそれぞれ設けられた構造になっている。
【００２６】
一対の側面ローラユニット２１それぞれは、図２〜図７に示すように、引出部２の左右方向の横振れを規制して引出部２のスライドを回転しながらガイドする側面ローラ２３と、この側面ローラ２３を回転可能な状態で垂直方向つまり筺体１の厚み方向である上下方向に保持する保持部材２４と、この保持部材２４を筺体１の第１ガイドレール部１３の支持レール１３ａにおける各内側面に位置決めする位置決め部２５と、を備えている。
【００２７】
側面ローラ２３は、図２〜図７に示すように、ほぼ円柱状に形成され、上下方向の中間部にその上下部よりも大径の接触ローラ部２３ａが設けられ、軸中心に支持軸２６が挿入する軸孔２０ａが設けられた構造になっている。これにより、側面ローラ２３は、支持軸２６によって保持部材２４に回転可能に取り付けられ、引出部２の両側の各側壁部２ｂにおける各外側面に接触して回転することにより、引出部２の左右方向の横振れを規制する構造になっている。
【００２８】
保持部材２４は、図２〜図７に示すように、筺体１の第１ガイドレール部１３における支持レール１３ａの前端部側に配置されて、側面ローラ２３を回転可能に保持する構造になっている。すなわち、この保持部材２４は、ステンレスなどの金属板からなる本体部２７と、この本体部２７の前端部における上下部に設けられた一対のローラ取付片２８と、を備えている。本体部２７は、引出部２のスライド方向である筺体１の前後方向に長い長方形の板状に形成され、上下辺に補強片２７ａがそれぞれ折り曲げられて設けている。
【００２９】
上下一対のローラ取付片２８は、図２〜図７に示すように、筺体１の前面側に位置する本体部２７の前部、つまり筺体１の前面側に位置する本体部２７の前部における上下部に筐体１の内部側に向けて突出した状態で互いに対向して設けられている。これら一対のローラ取付片２８における各先端部には、支持軸２６の両端部が取り付けられる一対の軸取付孔２８ａが同一軸上に対応して設けられている。
【００３０】
これにより、保持部材２４は、図５および図６に示すように、上下一対のローラ取付片２８間に側面ローラ２３を垂直に配置させて、側面ローラ２３の軸孔２０ａを一対のローラ取付片２８の各軸取付孔２８ａに同一軸上に対応させ、この状態で上側の軸取付孔２８ａから側面ローラ２３の軸孔２０ａに支持軸２６が挿入され、この挿入された支持軸２６の下端部が下側の軸取付孔２８ａに挿入されることにより、側面ローラ２３が支持軸２６によって一対のローラ取付片２８間に回転可能に取り付けられる構造になっている。
【００３１】
位置決め部２５は、図２〜図７に示すように、保持部材２４の本体部２７に切起しによって舌状に設けられている。すなわち、この位置決め部２５は、本体部２７の中間部に切起しによって一対のローラ取付片２８と反対に向けて舌状に突出して設けられている。これにより、本体部２７の中間部には、固定部材２２の後述するねじ部２２ｃが挿入する挿入孔３０が引出部２のスライド方向に長い長孔状に形成されている。
【００３２】
この位置決め部２５は、図２〜図４に示すように、本体部２７が筺体１の底板部５の第１ガイドレール部１３における支持レール１３ａの内側面に配置された際に、位置決め部２５の一面が支持レール１３ａの前端部側に突出して設けられた折曲部１３ｃの一面に、面接触によって当接する構造になっている。この場合、折曲部１３ｃは、支持レール１３ａの前端部側に引出部２のスライド方向と直交する方向における筐体１の外部側に向けて突出して設けられている。
【００３３】
これにより、位置決め部２５は、図２〜図４に示すように、引出部２のスライド方向である本体部２７の前後方向の位置、および筺体の１の厚み方向である本体部２７の上下方向への回転を規制して、本体部２７の挿入孔３０を第１ガイドレール部１３の支持レール１３ａに設けられたねし取付孔１３ｄに対応させて位置決めする構造になっている。
【００３４】
一対の固定部材２２それぞれは、図２〜図７に示すように、ガイドローラ２０の回転軸を兼ねるねじ部材であり、皿状の頭部２２ａと回転軸部である首下部２２ｂとねじ部２２ｃとを備えている。頭部２２ａは、外径がガイドローラ２０の軸孔２０ａよりも大きく形成され、ガイドローラ２０の軸孔２０ａの一端部に設けられた座ぐり部２０ｂに食込んで配置されて、ガイドローラ２０の一側面から突出しない構造になっている。
【００３５】
首下部２２ｂは、図２および図４に示すように、外径がガイドローラ２０の軸孔２０ａの内径とほぼ同じ大きさで、軸方向の長さがガイドローラ２０の軸孔２０ａにおける軸方向の長さとほぼ同じ長さで、回転軸部として形成されている。これにより、首下部２２ｂは、ガイドローラ２０の軸孔２０ａに挿入されて、頭部２２ａがガイドローラ２０の軸孔２０ａの座ぐり部２０ｂに食い込んで配置されだ際に、軸方向におけるガイドローラ２０の位置を規制してガイドローラ２０を回転可能に保持する構造になっている。
【００３６】
また、この首下部２２ｂは、図２および図４に示すように、ガイドローラ２０の軸孔２０ａに挿入されて、頭部２２ａがガイドローラ２０の軸孔２０ａの座ぐり部２０ｂに食い込んで配置された際に、頭部２２ａと反対側の端部がガイドローラ２０の軸孔２０ａの他端部から突出する構造になっている。この場合、首下部２２ｂは、ガイドローラ２０の軸孔２０ａの他端部から突出する突出長さが、保持部材２４の本体部２７の上下辺に折り曲げられた補強片２７ａの折曲長さよりも長く形成されている。
【００３７】
これにより、首下部２２ｂは、図２および図４に示すように、ガイドローラ２０の軸孔２０ａに挿入されて、頭部２２ａと反対側の端部がガイドローラ２０の軸孔２０ａの他端部から突出して本体部２７の挿入孔３０の縁部に当接した際に、ガイドローラ２０を本体部の補強片２７ａに接触させない構造になっている。
【００３８】
ねじ部２２ｃは、図２および図４に示すように、外径が首下部２２ｂの外径よりも少し小さく形成され、軸方向の長さが首下部２２ｂの軸方向の長さと同じか、それよりも少し短く形成されている。このねじ部２２ｃは、首下部２２ｂがガイドローラ２０の軸孔２０ａに挿入された際に、保持部材２４の本体部２７に設けられた挿入孔３０を通して底板部５の第１ガイドレール部１３における支持レール１３ａのねじ取付孔１３ｄに螺入する構造になっている。
【００３９】
これにより、固定部材２２は、図２〜図４に示すように、回転軸部である首下部２２ｂがガイドローラ２０の軸孔２０ａに挿入されて、ねじ部２２ｃが保持部材２４の本体部２７に設けられた挿入孔３０に挿入され、この挿入されたねじ部２２ｃが底板部５の第１ガイドレール部１３における支持レール１３ａのねじ取付孔１３ｄに螺入し、この状態で頭部２２ａが締め付けられた際に、ガイドローラ２０と側面ローラユニット２１とを一度に第１ガイドレール部１３の支持レール１３ａに取り付ける構造になっている。
【００４０】
すなわち、この固定部材２２は、図２〜図４に示すように、ねじ部２２ｃが第１ガイドレール部１３の支持レール１３ａのねじ取付孔１３ｄに螺入して締め付けられた際に、首下部２２ｂが保持部材２４の本体部２７における挿入孔３０の縁部に押し当てられて、保持部材２４の本体部２７を支持レール１３ａに押し付けることにより、ガイドローラ２０と側面ローラユニット２１とを一度に第１ガイドレール部１３の支持レール１３ａに取り付ける構造になっている。
【００４１】
この場合、側面ローラ２３は、図４に示すように、固定部材２２の頭部２２ａがガイドローラ２０の軸孔２０ａの座ぐり部２０ｂに食い込んで、首下部２２ｂが保持部材２４の本体部２７における挿入孔３０の縁部に押し当てられた際に、接触ローラ部２３ａが頭部２２ａ側のガイドローラ２０の側面よりも引出部２の側壁部２ｂに向けて突出した状態で配置される構造になっている。
【００４２】
これにより、一対の第１ガイド機構１５は、図１および図２に示すように、引出部２が筺体１内に挿入された際に、一対のガイドローラ２０が引出部２の一対の第２ガイドレール部１４の下面に配置され、一対の側面ローラ２３の各接触ローラ部２３ａが固定部材２２の頭部２２ａ側に位置する各ガイドローラ２０の側面から突出した状態で引出部２の両側の各側壁部２ｂに接触する構造になっている。
【００４３】
このため、一対の第１ガイド機構１５は、図１および図２に示すように、引出部２を筺体１内でスライドさせると、引出部２のスライドに伴って各ガイドローラ２０が各ガイドローラ２０上で回転しながら一対の第２ガイドレール１３ｂをガイドすることにより、上下方向の縦振れを規制して引出部２のスライドを滑らかにガイドする構造になっている。
【００４４】
また、一対の第１ガイド機構１５は、図１および図２に示すように、引出部２を筺体１内でスライドさせると、引出部２のスライドに伴って一対の側面ローラ２３の各接触ローラ部２３ａが引出部２の両側の各側壁部２ｂに接触して回転しながら引出部２の両側の各側壁部２ｂを移動させることにより、一対の側面ローラ２３によって引出部２の左右方向の横振れを規制して引出部２のスライドを円滑にガイドする構造になっている。
【００４５】
次に、このような第１ガイド機構１５の製造方法について説明する。
この第１ガイド機構１５の製造方法は、筺体１の底板部５の第１ガイドレール部１３に側面ローラユニット２１を位置決めする第１の工程と、引出部２を支持してガイドするガイドローラ２０を側面ローラユニット２１と共に第１ガイドレール部１３に取り付ける第２の工程と、を備えている。
【００４６】
すなわち、第１の工程では、予め、側面ローラユニット２１を組み立てる。この場合には、まず、保持部材２４を製作する。すなわち、保持部材２４の本体部２７をプレス加工することにより、本体部２７に上下一対のローラ取付片２８と上下一対の補強片２７ａとを形成すると共に、本体部２７の中間部にプレス加工による切起しによって位置決め部２５を形成して挿入孔３０を形成する。
【００４７】
そして、この本体部２７に側面ローラ２３を取り付ける。このときには、上下一対のローラ取付片２８間に側面ローラ２３を配置させて、側面ローラ２３の軸孔２０ａを一対のローラ取付片２８の各軸取付孔２８ａに同一軸上に対応させる。この状態で、上側のローラ取付片２８の軸取付孔２８ａから側面ローラ２３の軸孔２０ａに支持軸２６を挿入させ、この挿入した支持軸２６の下端部を下側のローラ取付片２８の軸取付孔２８ａに挿入させる。これにより、側面ローラ２３が支持軸２６によって一対のローラ取付片２８間に回転可能に取り付けられ、側面ローラユニット２１が組み立てられる。
【００４８】
この側面ローラユニット２１を第１ガイドレール部１３に位置決めする際には、保持部材２４の本体部２７に設けられた挿入孔３０を第１ガイドレール部１３の支持レール１３ａの前端部側に設けられたねじ取付孔１３ｄに対応させて、位置決め部２５の一面を支持レール１３ａの前端部側に設けられた折曲部１３ｃの一面に面接触により当接させる。これにより、保持部材２４は、本体部２７の前後方向の位置および本体部２７の上下方向への回転が規制されて、側面ローラユニット２１を第１ガイドレール部１３の支持レール１３ａに位置決めする。
【００４９】
第２の工程では、ガイドローラ２０を側面ローラユニット２１と共に第１ガイドレール部１３の支持レール１３ａに取り付ける。このときには、まず、ガイドローラ２０の軸孔２０ａに回転軸を兼ねる固定部材２２の首下部２２ｂを挿入させてねじ部２２ｃを軸孔２０ａから突出させる。このとき、頭部２２ａがガイドローラ２０の軸孔２０ａの座ぐり部２０ｂに食い込んで配置されると、回転軸部である首下部２２ｂによってガイドローラ２０の軸方向の位置が規制された状態で、ガイドローラ２０が首下部２２ｂに回転可能に保持される。
【００５０】
そして、突出したねじ部２２ｃを保持部材２４の本体部２７に設けられた挿入孔３０に挿入させ、この挿入されたねじ部２２ｃを第１ガイドレール部１３の支持レール１３ａに設けられたねじ取付孔１３ｄに螺合させる。この状態で、固定部材２２のねじ部２２ｃをねじ取付孔１３ｄに締め付けると、頭部２２ａがガイドローラ２０の軸孔２０ａの座ぐり部２０ｂに食い込んで配置されることにより、頭部２２ａがガイドローラ２０の側面から突出することなく配置される。
【００５１】
また、このときには、首下部２２ｂがガイドローラ２０の軸孔２０ａから突出して保持部材２４の本体部２７に設けられた挿入孔３０の縁部に押し当てられる。このため、固定部材２２の首下部２２ｂによって保持部材２４の本体部２７が第１ガイドレール部１３の支持レール１３ａに押し付けられる。これにより、ガイドローラ２０と側面ローラユニット２１とが固定部材２２によって一度に第１ガイドレール部１３の支持レール１３ａに取り付けられる。
【００５２】
この状態では、回転軸部である首下部２２ｂがガイドローラ２０の軸孔２０ａから突出して保持部材２４の本体部２７に設けられた挿入孔３０の縁部に押し当てられるので、ガイドローラ２０の側面が保持部材２４の本体部２７の補強片２７ａに接触することがなく、ガイドローラ２０が首下部２２ｂに回転可能な状態で取り付けられる。また、この状態では、側面ローラ２３の接触ローラ部２３ａが頭部２２ａ側のガイドローラ２０の側面よりも引出部２の側壁部２ｂ側に向けて突出した状態で取り付けられる。
【００５３】
一方、第２ガイド機構１６を引出部２に取り付ける場合には、取付部材１９の取付ねじ１９ａを転動ローラ１８の軸孔に挿入させ、この挿入された取付ねじ１９ａをワッシャ１９ｂに挿入させた状態で、取付ねじ１９ａの先端をローラ取付部１７の取付孔１７ａに螺入させて締め付ける。これにより、転動ローラ１８がワッシャ１９ｂを介してローラ取付部１７に回転可能な状態で取り付けられる。
【００５４】
また、筺体１を組み立てる場合には、まず、引出部２の両側の各側壁部２ｂが後壁部２ｃよりも奥側に突出していることにより、筺体１の底板部５の奥側部に設けられた設置スペースにロック装置６を取り付ける。この状態で、底板部５をカバーケース４の底部に取り付ける。これにより、筺体１が組み立てられる。
【００５５】
そして、筺体１内に引出部２を挿入する場合には、引出部２の奥側部をカバーケース４の前面に設けられた開口部４ａから挿入させて、引出部２の奥部側に設けられた一対の第２ガイド機構１６の各転動ローラ１８を筺体１の底板部５に設けられた一対の第１ガイドレール部１３の各ガイドレール１３ｂ上に配置させる。
【００５６】
このときには、引出部２の一対の第２ガイドレール部１４を底板部５の一対の第１ガイドレール部１３の各支持レール１３ａに設けられた一対の第１ガイドレール機構１５の各ガイドローラ２０上に配置すると共に、一対の第１ガイドレール機構１５の各側面ローラユニット２１における各側面ローラ２３の各接触ローラ部２３ａを引出部２の両側の各側壁部２ｂの各外側面に接触させる。
【００５７】
この状態で、引出部２を筺体１内に挿入すると、引出部２のスライドに伴って、一対の第２ガイド機構１６の各転動ローラ１８が筺体１内の一対の第１ガイドレール部１３の各ガイドレール１３ｂ上を回転しながら移動する。また、このときには、引出部２のスライドに伴って、一対の第２ガイドレール１３ｂが第１ガイド機構１５の各ガイドローラ２０を回転させながら各ガイドローラ２０上を移動すると共に、引出部２の両側の各側壁部２ｂが一対の側面ローラ２３の各接触ローラ部２３ａを回転させながら移動する。
【００５８】
これにより、一対の第１ガイドレール部１３の各ガイドレール１３ｂ上を回転しながら移動する第２ガイド機構１６の各転動ローラ１８と、一対の第２ガイドレール１３ｂを支持して回転しながら移動させる第１ガイド機構１５の各ガイドローラ２０とによって、引出部２の上下方向の縦振れを規制して引出部２を筺体１内で円滑にスライドさせる。また、このときには、引出部２の両側の各側壁部２ｂの各外側面に接触する一対の側面ローラ２３によって、引出部２のスライド方向と直交する左右方向の横振れを規制する。
【００５９】
そして、引出部２が筺体１内に収納された際には、引出部２の後壁部２ｃによってロック装置６のコイルばね１２が圧縮され、この状態で引出部２の係合ピン９がロック部７の回転係止部１０に係止される。これにより、引出部２が筺体１内にロックされる。また、筺体１内にロックされた引出部２を引き出す際には、ロック装置６による引出部２のロックを解除する。
【００６０】
このときには、ロック装置６のロック解除部８の電磁ソレノイド１１を動作させ、この電磁ソレノイド１１によってロック部７の回転係止部１０を回転させて、回転係止部１０による係合ピン９の係止を解除する。すると、圧縮されたコイルばね１２が、そのばね力によって引出部２を筐体１内から押し出す。
【００６１】
このように、この金銭収納装置における第１ガイド機構１５の製造方法によれば、引出部２をスライド可能に収納する筺体１に、引出部２の左右方向の横振れを規制して引出部２のスライドをガイドする側面ローラユニット２１を位置決めする第１の工程と、引出部２の上下方向の縦振れを規制して引出部２のスライドをガイドするガイドローラ２０を筺体１に位置決めして、回転軸を兼ねる固定部材２２によってガイドローラ２０と側面ローラユニット２１とを筺体１に取り付ける第２の工程と、を備えていることにより、組立作業性が良く、コンパクトに設置することができる。
【００６２】
すなわち、この第１ガイド機構１５の製造方法では、第１の工程で側面ローラユニット２１を筺体１に位置決めし、第２の工程で側面ローラユニット２１とガイドローラ２０とを回転軸を兼ねる固定部材２２によって筺体１に一度に取り付けることができるので、組立作業の簡素化を図り、組立作業性を向上させることができると共に、側面ローラユニット２１とガイドローラ２０とを筺体１に個別に設置する必要がないので、側面ローラユニット２１とガイドローラ２０とをコンパクトに設置することができる。
【００６３】
この場合、第１の工程では、側面ローラユニット２１が、引出部２の左右方向の横振れを規制して引出部２のスライドを回転しながらガイドする側面ローラ２３と、この側面ローラ２３を回転可能に保持する保持部材２４と、この保持部材２４に切起しによって形成された位置決め部２５と、を備え、この位置決め部２５によって側面ローラユニット２１を筺体１に位置決めすることにより、引出部２のスライド方向である側面ローラユニット２１の前後方向の位置と、筺体１の厚み方向である側面ローラユニット２１の上下方向への回転と、を規制することができ、これにより側面ローラユニット２１を筺体１に正確にかつ良好に位置決めすることができる。
【００６４】
すなわち、この第１ガイド機構１５の製造方法では、保持部材２４の本体部２７を切起しによって位置決め部２５を舌状に形成することにより、本体部２７に固定部材２２が挿入する挿入孔３０を同時に形成することができるので、加工性および生産性が良い。また、舌状の位置決め部２５の一面を、筺体１の第１ガイドレール部１３の支持レール１３ａに引出部２のスライド方向と直交する方向に向けて設けられた折曲部１３ｃの一面に、当接させることにより、側面ローラユニット２１の前後方向の位置と、側面ローラユニット２１の上下方向への回転と、を確実に規制することができ、これにより側面ローラユニット２１を筺体１に正確に位置決めすることができる。
【００６５】
また、この第１ガイド機構１５によれば、筐体１内にスライド可能に収納される引出部２の左右方向の横振れを規制して引出部２のスライドを回転しながらガイドする側面ローラ２３、およびこの側面ローラ２３を回転可能に保持する保持部材２４を備えた側面ローラユニット２１と、引出部２の上下方向の縦振れを規制して引出部２のスライドをガイドするガイドローラ２０と、このガイドローラ２０を筺体１に位置決めしてガイドローラ２０と側面ローラユニット２１とを筐体１に取り付けるガイドローラ２０の回転軸を兼ねる固定部材２２と、を備えていることにより、組立作業性が良く、コンパクトに設置することができる。
【００６６】
すなわち、この第１ガイド機構１５では、側面ローラ２３を保持部材２４で回転可能に保持した側面ローラユニット２１を筺体１に位置決めし、この状態で側面ローラユニット２１とガイドローラ２０とをガイドローラ２０の回転軸を兼ねる固定部材２２によって筺体１に一度に取り付けることができるので、組立作業の簡素化を図り、組立作業性を向上させることができると共に、側面ローラユニット２１とガイドローラ２０とを筺体１に個別に設置する必要がないので、側面ローラユニット２１とガイドローラ２０とをコンパクトに設置することができる。
【００６７】
この場合、この第１ガイド機構１５では、側面ローラユニット２１を筺体１に対して位置決めするための位置決め部２５を備えていることにより、側面ローラ２３を保持部材２４で回転可能に保持した側面ローラユニット２１を、位置決め部２５によって筺体１に確実にかつ良好に位置決めすることができる。
【００６８】
すなわち、この位置決め部２５は、保持部材２４の本体部２７に切起しによって舌状に形成されることにより、保持部材２４の本体部２７にガイドローラ２０の回転軸を兼ねる固定部材２２が挿入する挿入孔３０を引出部２のスライド方向に長い長孔状に形成することができるので、位置決め部２５によって側面ローラユニット２１を筺体１に対して位置決めする際に、本体部２７の挿入孔３０を筺体１の第１ガイドレール部１３の支持レールに設けられたねじ取付孔１３ｄに簡単にかつ容易に対応させることができ、これによっても組立作業性を向上させることができる。
【００６９】
また、この位置決め部２５は、舌状の一面を、筺体１の第１ガイドレール部１３の支持レール１３ａに引出部２のスライド方向と直交する方向に向けて設けられた折曲部１３ｃの一面に、面接触によって当接させることにより、側面ローラユニット２１の前後方向の位置と、側面ローラユニット２１の上下方向への回転と、を確実に規制することができ、これにより側面ローラユニット２１を筺体１に正確にかつ確実に位置決めすることができる。
【００７０】
また、この第１ガイド機構１５では、ガイドローラ２０の回転軸を兼ねる固定部材２２が、頭部２２ａ、回転軸部である首下部２２ｂ、およびねじ部２２ｃを備えたねじ部材であり、このねじ部材である固定部材２２によってガイドローラ２０が筺体１に取り付けられた際に、固定部材２２の首下部２２ｂによってガイドローラ２０の保持部材２４への接触を防ぐことにより、ガイドローラ２０を回転可能な状態で筐体１に確実にかつ良好に取り付けることができる。
【００７１】
すなわち、この固定部材２２の回転軸部である首下部２２ｂは、ガイドローラ２０の軸孔２０ａから突出して保持部材２４の本体部２７に設けられた挿入孔３０の縁部に押し当てられるので、保持部材２４の本体部２７の上下辺に補強片２７ａがそれぞれ設けられていても、この補強片２７ａにガイドローラ２０の側面を接触させないようにすることができ、これによりガイドローラ２０を回転軸部である首下部２２ｂによって円滑にかつ良好に回転可能な状態で取り付けることができる。
【００７２】
また、この固定部材２２の頭部２２ａは、その外径がガイドローラ２０の軸孔２０ａの内径よりも大きく形成されていても、ガイドローラ２０の軸孔２０ａの端部に座ぐり部２０ｂが設けられているので、この座ぐり部２０ｂに頭部２２ａを食い込ませて配置させることができるので、頭部２２ａをガイドローラ２０の側面から突出させることなく配置させることができ、これにより引出部２を筺体１内でスライドさせる際に、頭部２２ａが引出部２の側壁部２ｂに接触することなく、ガイドローラ２０を円滑にかつ良好に回転させることができる。
【００７３】
さらに、この第１ガイド機構１５では、側面ローラユニット２１およびガイドローラ２０が、筺体１における引出部２のスライド方向と直交する両側部に設けられた一対の第１ガイドレール部１３にそれぞれ設けられていることにより、両側のガイドローラ２０によって引出部２の両側下部を確実にかつ良好に支持して引出部２のスライド方向にガイドすることができ、また両側の側面ローラユニット２１によって引出部２の両側の側壁部２ｂを確実にかつ良好にガイドすることができるので、引出部２の縦振れおよび横振れを確実にかつ良好に抑えることができる。
【００７４】
なお、上述した実施形態では、第１ガイド機構１５を筐体１側に設けた場合について述べたが、この発明は、これに限らず、第１ガイド機構１５を引出部２側に設けても良い。すなわち、この第１ガイド機構は、筐体１内にスライド可能に収納される引出部２の左右方向の横振れを規制して引出部２のスライドを回転しながらガイドする側面ローラ２３、およびこの側面ローラ２３を回転可能に保持する保持部材２４を備えた側面ローラユニット２１と、引出部２の上下方向の縦振れを規制して引出部２のスライドをガイドするガイドローラ２０と、このガイドローラ２０を側面ローラユニット２１と共に引出部２に位置決めして取り付けるガイドローラ２０の回転軸を兼ねる固定部材２２と、を備えた構造であっても良い。
【００７５】
このような第１ガイド機構の製造方法は、筐体１内にスライド可能に収納される引出部２に、この引出部２の左右方向の横振れを規制して引出部２のスライドをガイドする側面ローラユニット２１を、位置決めする第１の工程と、引出部２の上下方向の縦振れを規制して引出部２のスライドをガイドするガイドローラ２０を引出部２に位置決めして、回転軸を兼ねる固定部材２２によってガイドローラ２０と側面ローラユニット２１とを引出部２に取り付ける第２の工程と、を備えていれば良い。
【００７６】
この場合、第１の工程では、側面ローラユニット２１が、引出部２の左右方向の横振れを規制して引出部２のスライドを回転しながらガイドする側面ローラ２３と、この側面ローラ２３を回転可能に保持する保持部材２４と、この保持部材２４に切起しによって形成された位置決め部２５と、を備え、この位置決め部２５によって側面ローラユニット２１を引出部２に位置決めするようにすれば良い。このような第１ガイド機構の製造方法およびその第１ガイド機構においても、上述した実施形態と同様の作用項がある。
【００７７】
また、上述した実施形態およびその変形例では、筺体１と引出部２との一方に第１ガイド機構１５を設けた場合について述べたが、この発明は、これに限らず、第１ガイド機構１５を筐体１と引出部２との両方に設けても良い。
【００７８】
また、この発明は、これに限らず、筺体１と引出部２との一方に第１ガイド機構１５を設ける際に、その一方の両側に第１ガイド機構１５をそれぞれ設ける必要はなく、片側にガイドローラ２０と側面ローラユニット２１とを備えた第１ガイド機構１５を設け、他の片側にガイドローラ２０のみを設けた構造であっても良い。
【００７９】
さらに、上述した実施形態では、金銭収納装置に適用した場合について述べたが、この発明は、必ずしも金銭収納装置である必要はなく、例えばキャビネットや机などの事務用品、あるいは箪笥などの家具にも適用することができる。
【００８０】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８１】
（付記）
請求項１に記載の発明は、引出部をスライド可能に収納する筺体に、前記引出部の左右方向の振れを規制して前記引出部のスライドをガイドするローラユニットを、位置決めする第１の工程と、前記引出部の上下方向の振れを規制して前記引出部のスライドをガイドするローラを前記筺体に位置決めして、回転軸を兼ねる固定部材によって前記ローラと前記ローラユニットとを前記筺体に取り付ける第２の工程と、を備えていることを特徴とするガイド機構の製造方法である。
【００８２】
請求項２に記載の発明は、請求項１に記載のガイド機構の製造方法において、前記第１の工程では、前記ローラユニットが、前記引出部の左右方向の振れを規制して前記引出部のスライドを回転しながらガイドする側面ローラと、前記側面ローラを回転可能に保持する保持部材と、前記保持部材に切起しによって形成された位置決め部と、を備え、前記位置決め部によって前記ローラユニットを前記筺体に位置決めすることを特徴とするガイド機構の製造方法である。
【００８３】
請求項３に記載の発明は、筐体内にスライド可能に収納される引出部に、前記引出部の左右方向の振れを規制して前記引出部のスライドをガイドするローラユニットを、位置決めする第１の工程と、前記引出部の上下方向の振れを規制して前記引出部のスライドをガイドするローラを前記引出部に位置決めして、回転軸を兼ねる固定部材によって前記ローラと前記ローラユニットとを前記引出部に取り付ける第２の工程と、を備えていることを特徴とするガイド機構の製造方法である。
【００８４】
請求項４に記載の発明は、請求項３に記載のガイド機構の製造方法において、前記第１の工程では、前記ローラユニットが、前記引出部の左右方向の振れを規制して前記引出部のスライドを回転しながらガイドする側面ローラと、前記側面ローラを回転可能に保持する保持部材と、前記保持部材に切起しによって形成された位置決め部と、を備え、前記位置決め部によって前記ローラユニットを前記引出部に位置決めすることを特徴とするガイド機構の製造方法である。
【００８５】
請求項５に記載の発明は、筐体内にスライド可能に収納される引出部の左右方向の振れを規制して前記引出部のスライドを回転しながらガイドする側面ローラ、および前記側面ローラを回転可能に保持する保持部材を備えたローラユニットと、前記引出部の上下方向の振れを規制して前記引出部のスライドをガイドするローラと、前記ローラを前記筺体に位置決めして前記ローラと前記ローラユニットとを前記筺体に取り付ける前記ローラの回転軸を兼ねる固定部材と、を備えていることを特徴とするガイド機構である。
【００８６】
請求項６に記載の発明は、筐体内にスライド可能に収納される引出部の左右方向の振れを規制して前記引出部のスライドを回転しながらガイドする側面ローラ、および前記側面ローラを回転可能に保持する保持部材を備えたローラユニットと、前記引出部の上下方向の振れを規制して前記引出部のスライドをガイドするローラと、前記ローラを前記引出部に位置決めして前記ローラと前記ローラユニットとを前記引出部に取り付ける前記ローラの回転軸を兼ねる固定部材と、を備えていることを特徴とするガイド機構である。
【００８７】
請求項７に記載の発明は、請求項５または請求項６に記載のガイド機構において、前記ローラユニットは、前記筺体または前記引出部に対して位置決めする位置決め部を備えていることを特徴とするガイド機構である。
【００８８】
請求項８に記載の発明は、請求項７に記載のガイド機構において、前記位置決め部は、前記保持部材に切起しによって形成されることにより、前記保持部材に前記固定部材が挿入する挿入孔を形成したことを特徴とするガイド機構である。
【００８９】
請求項９に記載の発明は、請求項５〜請求項８のいずれかに記載のガイド機構において、前記固定部材は、前記ローラが前記筺体または前記引出部に取り付けられた際に、前記ローラが前記保持部材に接触するのを防ぐための回転軸部である首下部を備えていることを特徴とするガイド機構である。
【００９０】
請求項１０に記載の発明は、請求項５〜請求項９のいずれかに記載のガイド機構において、前記ローラユニットおよび前記ローラは、前記筺体または前記引出部における前記引出部のスライド方向と直交する両側部にそれぞれ設けられていることを特徴とするガイド機構である。
【００９１】
請求項１１に記載の発明は、請求項５〜請求項１０のいずれかに記載されたガイド機構を備えていることを特徴とする金銭収納装置である。
【符号の説明】
【００９２】
１  筐体
２  引出部
２ａ  前面部
２ｂ  側壁部
２ｃ  後壁部
３  ガイド機構
４  カバーケース
４ａ  開口部
５  底板部
６  ロック装置
１３  第１ガイドレール部
１３ａ  支持レール
１３ｂ  ガイドレール
１３ｃ  折曲部
１３ｄ  ねじ取付孔
１４  第２ガイドレール部
１５  第１ガイド機構
１６  第２ガイド機構
２０  ガイドローラ
２０ａ  軸孔
２１  側面ローラユニット
２２  固定部材
２２ａ  頭部
２２ｂ  首下部
２２ｃ  ねじ部
２３  側面ローラ
２３ａ  接触ローラ部
２３ｂ  軸孔
２４  保持部材
２５  位置決め部
２６  支持軸
２７  本体部
２８  ローラ取付片
３０  挿入孔
【図１】
2020044167.tif 000003
【図２】
2020044167.tif 000004
【図３】
2020044167.tif 000005
【図４】
2020044167.tif 000006
【図５】
2020044167.tif 000007
【図６】
2020044167.tif 000008
【図７】
2020044167.tif 000009